(57)【要約】【課題】撮影者が特別な操作をすることなく、明るい周辺環境などでも見やすい表示でディスプレイを見ることが可能な撮像装置を提供することである。【解決手段】撮像装置は、撮影レンズ１０２を介する光束を測光する測光ユニット１７０、この光束を少なくとも光学ファインダユニット１０５、１０９、１１２側に導くための光学部材１１１、撮像素子１０６、外部表示手段１０７を備える。外部表示手段１０７が情報を表示する状態において、測光ユニット１７０に光束が導かれるのをほぼ遮光する遮光状態が実現可能である。遮光状態において、光学ファインダユニットのファインダレンズ１０９を介して入射する外光を測光ユニット１７０により測光して、得られた測光値に基づいて情報表示中の外部表示手段１０７の明るさが制御可能である。【選択図】図１
2010136158.tif 000002
【特許請求の範囲】
【請求項１】
撮影レンズから入射する光束を測光するための測光ユニット、撮影レンズから入射する光束を少なくとも光学ファインダユニット側に導くための光学部材、撮影レンズから入射する光束を電気信号に変換する撮像素子、情報を表示する外部表示手段を備える撮像装置であって、
前記外部表示手段が情報を表示する状態において、撮影レンズから入射する光束を測光するための前記測光ユニットに該光束が導かれるのを遮光する遮光状態が実現可能に構成され、
前記遮光状態において、前記光学ファインダユニットのファインダレンズを介して入射する外光を前記測光ユニットにより測光して、得られた測光値に基づいて情報表示中の前記外部表示手段の明るさを制御可能に構成されることを特徴とする撮像装置。
【請求項２】
前記撮像素子により得られる電気信号に基づく画像を前記外部表示手段に逐次表示する電子ファインダモードを有し、
前記電子ファインダモード中に、前記遮光状態で前記光学ファインダユニットのファインダレンズを介して入射する外光を前記測光ユニットにより測光するとき、得られた測光値に基づいて前記外部表示手段の明るさを制御することを特徴とする請求項１に記載の撮像装置。
【請求項３】
撮影画像再生表示可能に構成され、
前記撮影画像再生表示中に、前記遮光状態で前記光学ファインダユニットのファインダレンズを介して入射する外光を前記測光ユニットにより測光するとき、得られた測光値に基づいて前記外部表示手段の明るさを制御することを特徴とする請求項１又は２に記載の撮像装置。
【請求項４】
前記光学部材は、撮影レンズから入射する光束を前記光学ファインダユニットと焦点検出ユニットとに分離させるための可動ミラーユニットであり、
前記可動ミラーユニットは、前記光束を分離させる第１の位置と前記遮光状態を実現する第２の位置との間で可動に設けられていることを特徴とする請求項１から３のいずれか１項に記載の撮像装置。
【請求項５】
前記電子ファインダモード中に、又は撮影画像再生表示操作が行われると、前記可動ミラーユニットを前記第２の位置に駆動した状態で、前記測光ユニットにより測光し、得られた測光値に基づいて前記外部表示手段の明るさを制御することを特徴とする請求項４に記載の撮像装置。
【請求項６】
前記光学部材は、撮影レンズから入射する光束を前記光学ファインダユニットと前記撮像素子とに分離させる固定ミラーであり、
前記光学ファインダユニットへの光路中に配置された撮影情報表示用の内部表示手段を備え、
該内部表示手段は、前記遮光状態を実現する様に駆動可能に構成されていることを特徴とする請求項１から３のいずれか１項に記載の撮像装置。
【請求項７】
前記電子ファインダモード中に、又は撮影画像再生表示操作が行われると、前記遮光状態を実現する様に前記内部表示手段を駆動した状態で、前記測光ユニットにより測光し、得られた測光値に基づいて前記外部表示手段の明るさを制御することを特徴とする請求項６に記載の撮像装置。
【請求項８】
セルフ撮影モードを備え、撮影指示操作から撮影までのセルフ時間を複数設定可能に構成され、
前記電子ファインダモード中に所定の時間以上のセルフ時間が選択されたとき、前記所定の時間までは前記測光ユニットにより測光し、得られた測光値に基づいて前記外部表示手段の明るさを制御し、前記所定の時間以降撮影までの間は前記測光ユニットによる測光を行わず、前記外部表示手段の明るさを下げることを特徴とする請求項２、５、又は７に記載の撮像装置。
【請求項９】
前記外部表示手段が可動で、前記外部表示手段の向きを検知可能に構成され、
前記電子ファインダモード中に前記外部表示手段が被写体側に向いているのが検知されたときには、前記測光ユニットによる測光を行わないことを特徴とする請求項２、５、又は７に記載の撮像装置。
【発明の詳細な説明】
【技術分野】
【０００１】
本発明は、外部表示装置を備える撮像装置に関するものである。
【背景技術】
【０００２】
近年、撮影した画像をその場で確認できる様に本体の撮影者側にTFTなどのディスプレイを備えたデジタル撮像装置が広く普及しており、撮影光学系を通過した被写体光をディスプレイで見ながら撮影する撮影方法が広く普及している。また、ディスプレイの明るさを撮影者が所定の範囲で任意に設定できる様に構成されているものが公知の技術として広く普及している。
【０００３】
ところで、屋外の晴天時に撮影画像をディスプレイで確認する場合に、ディスプレイが明るく照らされた状態では表示された画像が見にくいという問題がある。撮影者が自分でディスプレイの輝度を明るくなる様に設定すれば、この問題は改善されるが、自分で設定しなければならない煩わしさがある。また、基準の輝度を明るく設定すると消費電流が多く必要となり、撮影可能枚数が減ってしまうため、一般的にはデフォルトの輝度として、表示可能な最高輝度は設定されていない。
【０００４】
撮像装置の撮影者側の明るさを検知するための専用センサーをディスプレイ近辺に配置すれば、撮影者側の明るさを検知できるが、コストが上がってしまう問題がある。
【０００５】
こうした技術状況において、特許文献１に開示の一眼レフカメラでは、撮像装置の撮影者側の明るさを検知する技術として、レリーズ動作によりミラーアップした際にファインダ逆入射光を測光し、撮影条件を設定（補正）するものが提案されている。
【特許文献１】特開平１0-１8644１号公報
【発明の開示】
【発明が解決しようとする課題】
【０００６】
しかしながら、特許文献１に記載の技術は、レリーズ操作されたときのミラーダウン時の測光値とミラーアップの測光値との関係から撮影条件を設定（補正）するものであり、外部環境（明るさ）により画像表示装置の輝度を調整するものではない。また、特許文献１に記載の技術は、画像を撮影する際の制御について提案されたものであり、撮影画像を再生表示する際などの制御についてのものではない。
【課題を解決するための手段】
【０００７】
上記課題に鑑み、本発明の撮像装置は次の特徴を有する。即ち、撮像装置は、撮影レンズから入射する光束を測光するための測光ユニット、撮影レンズから入射する光束を少なくとも光学ファインダユニット側に導くためのミラーなどの光学部材、撮影レンズから入射する光束を電気信号に変換する撮像素子、情報を表示する外部表示手段を備える。そして、前記外部表示手段が情報を表示する状態において、撮影レンズから入射する光束を測光するための前記測光ユニットに該光束が導かれるのをほぼ遮光する遮光状態が実現可能に構成される。また、前記遮光状態において、前記光学ファインダユニットのファインダレンズを介して入射する外光を前記測光ユニットにより測光して、得られた測光値に基づいて情報表示中の前記外部表示手段の明るさを制御可能に構成される。
【発明の効果】
【０００８】
本発明の撮像装置によれば、表示装置（外部表示手段）の明るさが周辺環境において好適になる様に自動で設定されるため、撮影者は特別な操作をすることなく、見やすい表示で表示装置を見ることが可能となる。
【発明を実施するための最良の形態】
【０００９】
以下、本発明の実施の形態について図面を用いて説明する。
本発明の撮像装置において重要なことは、次の点である。情報を表示する外部表示手段が情報を表示する状態において、撮影レンズから入射する光束を測光するための測光ユニットに該光束が導かれるのをほぼ遮光する遮光状態が実現可能に構成されること。必要な時に、前記遮光状態において、前記光学ファインダユニットのファインダレンズを介して入射する外光を前記測光ユニットにより測光して、得られた測光値に基づいて情報表示中の前記外部表示手段の明るさを制御できる様になっていること。「必要な時」は、撮像装置の仕様、タイプ、使用者の要求などに応じて、適宜決めればよい。その代表例として、後述する実施形態と実施例で述べられる様な、「電子ファインダモード中」、「撮影画像再生表示中」などがある。遮光状態にするのが許容される状態であって、外部表示手段で表示が行われているときであれば、外部表示手段の明るさを制御する状態に何時してもよい。設計に応じて決めればよい。
【００１０】
上記の考え方に基づき、本発明の撮像装置の基本的な実施形態は、次の様な構成を有する。撮像装置は、撮影レンズを介する光束を測光する測光ユニット、撮影レンズを介する光束を少なくとも光学ファインダユニット側に導く光学部材、撮影レンズを介する光束を電気信号に変換する撮像素子、外部表示手段を備える。そして、外部表示手段が情報を表示する状態において、撮影レンズから入射する光束を測光するための前記測光ユニットに該光束が導かれるのをほぼ遮光する遮光状態が実現可能に構成される。また、前記遮光状態において、前記光学ファインダユニットのファインダレンズを介して入射する外光を前記測光ユニットにより測光して、得られた測光値に基づいて情報表示中の前記外部表示手段の明るさを制御可能に構成される。
【００１１】
前記基本的な実施形態において、以下に述べる様なより具体的な実施形態が可能である。
一実施形態では、撮像素子により得られる電気信号に基づく画像を外部表示手段に逐次表示する電子ファインダモードを有する。そして、電子ファインダモード中に、遮光状態で光学ファインダユニットのファインダレンズ（ファインダレンズなど）を介して入射する外光を測光ユニットにより測光するとき、得られた測光値に基づいて外部表示手段の明るさを制御する（第１の実施例参照）。
【００１２】
また、一実施形態では、撮影画像再生表示可能に構成される。そして、撮影画像再生表示中に、遮光状態で光学ファインダユニットのファインダレンズを介して入射する外光を測光ユニットにより測光するとき、得られた測光値に基づいて外部表示手段の明るさを制御する（第２の実施例参照）。
【００１３】
また、一実施形態では、前記光学部材は、撮影レンズから入射する光束を光学ファインダユニットと焦点検出ユニットとに分離させるための可動ミラーユニットである。そして、可動ミラーユニットは、前記光束を分離させる第１の位置と遮光状態を実現する第２の位置との間で可動に設けられている（第１の実施例等を参照）。
【００１４】
また、一実施形態では、電子ファインダモード中に、又は撮影画像再生表示操作が行われると、可動ミラーユニットを前記第２の位置に駆動した状態で、測光ユニットにより測光し、得られた測光値に基づいて外部表示手段の明るさを制御する（第１の実施例等を参照）。
【００１５】
また、一実施形態では、前記光学部材は、撮影レンズから入射する光束を光学ファインダユニットと撮像素子とに分離させる固定ミラーであり、光学ファインダユニットへの光路中に配置された撮影情報表示用の内部表示手段を備える。そして、内部表示手段は、遮光状態を実現する様に駆動可能に構成されている（第３の実施例参照）。
【００１６】
また、一実施形態では、電子ファインダモード中に、又は撮影画像再生表示操作が行われると、遮光状態を実現する様に前記内部表示手段を駆動した状態で、測光ユニットにより測光し、得られた測光値に基づいて外部表示手段の明るさを制御する（第３の実施例等を参照）。
【００１７】
また、一実施形態では、セルフ撮影モードを備え、撮影指示操作から撮影までのセルフ時間を複数設定可能に構成される。そして、電子ファインダモード中に所定の時間以上のセルフ時間が選択されたとき、前記所定の時間までは前記測光ユニットにより測光し、得られた測光値に基づいて外部表示手段の明るさを制御する。一方、前記所定の時間以降撮影までの間は測光ユニットによる測光を行わず、外部表示手段の明るさを下げる（第５の実施例参照）。
【００１８】
また、一実施形態では、外部表示手段が可動で、外部表示手段の向きを検知可能に構成される。そして、電子ファインダモード中に外部表示手段が被写体側に向いているのが検知されたときには、測光ユニットによる測光を行わない（第６の実施例参照）。
【００１９】
遮光状態を実現する方法としては、前記可動ミラーユニットや内部表示手段を用いる方法の他に、絞り（後述）を用いる方法なども可能である。ただし、この方法を用いた場合には、測光制御に留意する必要がある。
【実施例】
【００２０】
（第１の実施例）
以下、添付図面を参照して本発明の実施例を詳細に説明する。ただし、実施例において例示される構成部品の寸法、形状、それらの相対配置などは、本発明が適用される装置の構成や各種条件により適宜変更されるべきものであり、本発明はそれらの例示に限定されるものではない。
【００２１】
以下、本発明の撮像システムの一例として、デジタル一眼レフカメラシステムの第１の実施例の構成を図１と図２を参照しながら説明する。
【００２２】
図１及び図２は本実施例におけるカメラシステムの構成を示す概略断面図であり、カメラ本体（撮像装置）１０１と、カメラ本体１０１に着脱可能に装着されるレンズ装置１０２とを示している。図１（ａ）は、光学ファインダ（ＯＶＦ）で被写体を観察する場合のカメラシステムの状態を示している。図１（ａ）に示す状態を、以下、「光学ファインダモード（ＯＶＦモード）」と呼ぶ。また、図１（ｂ）は、カメラ本体１０１の背面に取り付けられたディスプレイユニット１０７（外部表示手段）に被写体の画像を逐次表示する電子ファインダ（ＥＶＦ）機能を用いて、被写体を観察可能にした場合のカメラシステムの状態を示している。図１（ｂ）に示す状態を、以下、「電子ファインダモード（ＥＶＦモード）」と呼ぶ。
【００２３】
レンズ装置１０２内には、フォーカスレンズ（不図示）を含む撮影光学系１０３（撮影レンズ）及び露光量を調節するための絞り１０４が設けられている。レンズ装置１０２は、公知のマウント機構を介してカメラ本体１０１に電気的、機械的に接続される。焦点距離の異なるレンズ装置１０２をカメラ本体１０１に装着することによって、様々な画角の撮影画面を得ることが可能である。また、レンズ装置１０２では、不図示の駆動機構を介して撮影光学系１０３の一部の要素であるフォーカスレンズを光軸方向に移動させることで、撮影光学系１０３の焦点調節を行う。
【００２４】
カメラ本体１０１は、ＣＣＤセンサ或いはＣＭＯＳセンサなどの撮像素子１０６を用いた単板式のデジタルカラーカメラであり、撮像素子１０６を連続的または単発的に駆動して、動画像または静止画像を表わす画像信号を得る。ここでは、撮像素子は、露光した光を画素毎に電気信号に変換して受光量に応じた電荷を蓄積し、蓄積された電荷を読み出すタイプのエリアセンサである。撮像素子１０６はパッケージ１１０に収納されている。撮影光学系１０３から撮像素子１０６に至る光路中には、撮像素子１０６上に被写体像（光学像）の必要以上に高い空間周波数成分が伝達されない様に撮影光学系１０３のカットオフ周波数を制限する光学ローパスフィルタ１５６が設けられている。
【００２５】
撮像素子１０６として、例えば、正方画素が合計約１０００万個の画素数を有する撮像素子を用いることができる。そして、各画素にＲ（赤色）Ｇ（緑色）Ｂ（青色）のカラーフィルタを交互に配して４画素が一組となる、所謂ベイヤー配列を構成している。ベイヤー配列では、観察者が画像を見たときに強く感じやすいＧの画素をＲやＢの画素よりも多く配置することで、総合的な画像性能を上げている。一般に、この方式の撮像素子を用いる画像処理では、輝度信号は主にＧから生成し、色信号はＲ、Ｇ、Ｂから生成する。尚、画素数及びカラーフィルタの種類は上記に限るものではなく、公知のものを適宜使用可能であることは言うまでもない。
【００２６】
撮像素子１０６を増幅型固体撮像素子の１つであるＣＭＯＳプロセスコンパチブルのセンサ（以降、「ＣＭＯＳセンサ」と略す。）で構成した場合、以下の様な特徴を有することができる。即ち、エリアセンサ部のＭＯＳトランジスタと撮像素子駆動回路、Ａ／Ｄ変換回路、画像処理回路といった周辺回路を同一工程で形成できるため、マスク枚数、プロセス工程がＣＣＤと比較して大幅に削減できるという利点がある。また、任意の画素へのランダムアクセスが可能といった特徴も有し、ディスプレイ用に間引いた読み出しが容易であって、ディスプレイユニット１０７において高い表示レートでリアルタイム表示を行うことができる。
【００２７】
撮像素子１０６から読み出された信号は、後述する様に所定の処理が施された後、画像データとしてディスプレイユニット１０７上に表示される。ディスプレイユニット１０７はカメラ本体１０１の背面に取り付けられており、使用者はディスプレイユニット１０７での表示を直接観察できる様になっている。
【００２８】
撮像素子１０６は、上述した特徴を利用し、ディスプレイ画像出力動作（撮像素子１０６の受光領域のうち、一部を間引いた領域からの読み出し）及び高精彩画像出力動作（全受光領域からの読み出し）の両方の動作を行うことができる。また、撮像素子１０６の出力を用いたコントラスト検出方式による焦点調節も行うことができる。
【００２９】
１１１は可動型のハーフミラーであり、撮影光学系１０３からの光束のうち一部を反射させると共に、残りを透過させ、一つの光路を二つの光路に分割する。１０５は、撮影光学系１０３によって形成される被写体像の予定結像面に配置されたフォーカシングスクリーン、１１２はペンタプリズムである。１０９は、フォーカシングスクリーン１０５上に形成された被写体像を観察するためのファインダレンズであり、一般的には複数枚のレンズで構成されている。フォーカシングスクリーン１０５、ペンタプリズム１１２及びファインダレンズ１０９は、ファインダ光学系を構成する。１７０は、ファインダ光学系に導かれた光束の明るさを測定するための測光センサーからなる測光ユニット、１８０は、フォーカシングスクリーン１０５上に特定の情報を表示させるための光学ファインダ内情報表示ユニットである。
【００３０】
ハーフミラー１１１の背後（像面側）には可動型のサブミラー１２２が設けられ、ハーフミラー１１１を透過した光束のうち、光軸に近い光束を反射させて焦点検出ユニット（焦点検出手段）１２１に導いている。サブミラー１２２は、不図示の駆動機構によりハーフミラー１１１と連動して、撮影光路に対して進退可能となっている。即ち、可動ミラーであるハーフミラー１１１及びサブミラー１２２は、ＯＶＦモード時には図１に示す位置（第１の位置）を採り、ＥＶＦモード時には図２に示す位置（第２の位置）を採る。こうして、２通りの位置のいずれかを選択的に採ることができる。
【００３１】
焦点検出ユニット１２１は、サブミラー１２２からの光束を受光して位相差検出方式による焦点検出を行う。
【００３２】
１０８は可動式の閃光発光ユニットであり、カメラ本体１０１に収納される収納位置とカメラ本体１０１から突出した発光位置との間で移動可能である。１１３は、像面に入射する光量を調節するフォーカルプレンシャッタで、複数の遮光羽根で構成された先幕と後幕を有する。
【００３３】
１１９はカメラ本体１０１を起動させるためのメインスイッチである。１２０は２段階で押圧操作されるレリーズボタンであり、半押し操作（スイッチＳＷ１のＯＮ）で撮影準備動作（測光動作や焦点調節動作等）が開始される。更に、全押し操作（スイッチＳＷ２のＯＮ）で、撮影動作（フォーカルプレンシャッタ１１３の走行と、撮像素子１０６の露光及び電荷信号の読み出し、及び電荷信号を処理して得られた画像データの記録媒体への記録）が開始される。
【００３４】
１２３はファインダモード切り換えスイッチであり、スイッチ１２３を押す度に被写体像の観察モードとして、ＯＶＦモードとＥＶＦモード間の切り換えを行うことができる。１２４はメニュー表示スイッチであり、該スイッチを押す度にメニュー表示とメニュー表示前の表示状態への切り換えを行うことができる。尚、メニュー画面からＯＶＦモードとＥＶＦモード間の切り換えを行うことも可能である。
【００３５】
図２は、図１に示すデジタルカラーカメラの概略機能構成を示すブロック図である。尚、図１と同じ構成には同じ参照番号を付し、説明を省略する。まず、被写体像の撮像、記録に関する部分から説明する。
【００３６】
本実施例のカメラシステムは、撮像系、画像処理系、記録再生系及び制御系を有する。撮像系は、撮影光学系１０３及び撮像素子１０６を有し、画像処理系は、Ａ／Ｄ変換器１３０、ＲＧＢ画像処理回路１３１及びＹＣ処理回路１３２を有する。また、記録再生系は、記録処理回路１３３及び再生処理回路１３４を有し、制御系は、カメラシステム制御回路１３５、操作検出回路１３６、撮像素子駆動回路１３７、ＡＦ制御回路１４０、レンズシステム制御回路１４１を有する。
【００３７】
１３８は、外部のコンピュータや記憶媒体等に接続され、データの送受信を行うために規格化された接続端子である。上述した電気回路は、不図示の小型電池からの電力供給を受けて駆動する。
【００３８】
撮像系は、被写体からの光を撮影光学系１０３を介して撮像素子１０６の撮像面に結像させる光学処理系である。レンズ装置１０２内に設けられた絞り１０４の駆動を制御すると共に、必要に応じてフォーカルプレンシャッタ１１３の駆動を制御することによって、適切な光量の被写体光を撮像素子１０６に受光させることができる。
【００３９】
撮像素子１０６から読み出された信号は、Ａ／Ｄ変換器１３０を含む画像処理系に供給される。この画像処理系での画像処理によって画像データが生成される。Ａ／Ｄ変換器１３０は、撮像素子１０６の各画素から読み出された信号の振幅に応じて、例えば撮像素子１０６の出力信号を、例えば１０ビットのデジタル信号に変換して出力する信号変換回路であり、以降の画像処理はデジタル処理にて実行される。画像処理系は、Ｒ、Ｇ、Ｂのデジタル信号から所望の形式の画像信号を得る信号処理回路であり、Ｒ、Ｇ、Ｂの色信号を輝度信号Ｙ及び色差信号（Ｒ−Ｙ）、（Ｂ−Ｙ）にて表わされるＹＣ信号などに変換する。
【００４０】
ＲＧＢ画像処理回路１３１は、Ａ／Ｄ変換器１３０の出力信号を処理する信号処理回路であり、ホワイトバランス回路、ガンマ補正回路、補間演算による高解像度化を行う補間演算回路を有する。ＹＣ処理回路１３２は、輝度信号Ｙ及び色差信号（Ｒ−Ｙ）、（Ｂ−Ｙ）を生成する信号処理回路である。このＹＣ処理回路１３２は、高域輝度信号ＹＨを生成する高域輝度信号発生回路、低域輝度信号ＹＬを生成する低域輝度信号発生回路、及び色差信号（Ｒ−Ｙ）、（Ｂ−Ｙ）を生成する色差信号発生回路を有している。輝度信号Ｙは、高域輝度信号ＹＨと低域輝度信号ＹＬを合成することによって形成される。尚、ＹＣ処理回路１３２から出力される輝度信号Ｙ及び色差信号（Ｒ−Ｙ）、（Ｂ−Ｙ）（クロマ信号）を合わせて、以降「ＹＣ信号」と呼ぶ。
【００４１】
記録再生系は、不図示のメモリや外部コンピュータや外部記憶媒体への画像信号の出力と、ディスプレイユニット１０７への画像信号の出力とを行う処理系である。記録処理回路１３３は、メモリや外部コンピュータや外部記憶媒体への画像信号の書き込み処理及び読み出し処理を行う。再生処理回路１３４は、メモリや外部コンピュータや外部記録媒体から読み出した画像信号を再生して、ディスプレイユニット１０７に出力する。尚、メモリから読み出す画像信号は、撮影された画像だけではなく、使用者がカメラの各種設定をするために予め用意された表示画面用の画像であってもよい。
【００４２】
また、記録処理回路１３３は、ＹＣ処理回路１３２から出力される、静止画データ及び動画データを表わすＹＣ信号を所定の圧縮形式にて圧縮すると共に、圧縮されたデータを伸張する圧縮伸張回路を内部に有する。圧縮伸張回路は、信号処理のためのフレームメモリなどを有しており、このフレームメモリにＹＣ処理回路１３２からのＹＣ信号をフレーム毎に蓄積し、各フレームのＹＣ信号を複数のブロック毎に読み出して圧縮符号化する。
【００４３】
再生処理回路１３４は、ＹＣ信号をマトリクス変換して、例えばＲＧＢ信号等のディスプレイユニット１０７に適した信号に変換する回路である。再生処理回路１３４によって変換された信号はディスプレイユニット１０７に出力され、可視画像として表示（再生）される。
【００４４】
一方、制御系における操作検出回路１３６は、メインスイッチ１１９、レリーズボタン１２０、ファインダモード切り換えスイッチ１２３、メニュー表示スイッチ１２４等（他のスイッチは不図示）の操作を検出する。そして、この検出結果をカメラシステム制御回路１３５に出力する。カメラシステム制御回路１３５は操作検出回路１３６からの検出信号を受け、検出結果に応じて撮像系、画像処理系、記録再生系をそれぞれ制御する。例えば、レリーズボタン１２０の操作によってスイッチＳＷ２がＯＮとなった場合、ハーフミラー１１１やサブミラー１２２の駆動、フォーカルプレンシャッタ１１３の駆動の制御を行う。更に、焦点検出ユニット１２１で得られた焦点検出領域での検出信号を処理するＡＦ制御回路１４０の動作の他、測光ユニット１７０の駆動、撮像素子１０６の駆動、ＲＧＢ画像処理回路１３１の動作、記録処理回路１３３の圧縮処理などを制御する。
【００４５】
カメラシステム制御回路１３５は、撮像動作を行う際のタイミング信号を生成して、撮像素子駆動回路１３７に出力する。撮像素子駆動回路１３７は、カメラシステム制御回路１３５からの制御信号を受けることで撮像素子１０６を駆動するための駆動信号を生成する。情報表示回路１３９は、カメラシステム制御回路１３５からの制御信号を受けて光学ファインダ内情報表示ユニット１８０の駆動を制御する。
【００４６】
次に、レンズ装置１０２内の構成について説明する。レンズシステム制御回路１４１は、レンズ駆動回路１４２を介して、撮影光学系１０３の一部の要素であるフォーカスレンズを合焦位置に移動するための制御を行う。また、レンズシステム制御回路１４１は、絞り駆動回路１４３を介して、撮影動作時の被写体輝度に応じて絞り１０４の駆動制御を行う。レンズシステム制御回路１４１は、レンズ装置１０２側の通信接点１０２ａ及びカメラ本体１０１側の通信接点１０１ａを介して、カメラ本体１０１内のカメラシステム制御回路１３５と相互に通信可能となっている。レンズシステム制御回路１４１は、レンズ装置１０２の種類や焦点距離等をカメラシステム制御回路１３５に通知する。
【００４７】
カメラ本体１０１がＯＶＦモード（図１（ａ）に示す状態）の場合、レンズ装置１０２の絞り１０４は開放状態に制御される。また、ハーフミラー１１１及びサブミラー１２２は、撮影光路上の第１の位置にあり、フォーカルプレンシャッタ１１３の先幕及び後幕は不図示の電磁モータとギア列からなるシャッタチャージ機構により、チャージされる。チャージすることで先幕は閉じた状態、後幕は開いた状態となる。従って、撮像素子１０６は露光されない。撮影光学系１０３から入射した被写体光束は、ハーフミラー１１１で反射してファインダ光学系に導かれると共に、ハーフミラー１１１を透過した光束はサブミラー１２２で反射して焦点検出ユニット１２１に導かれる。従って、ファインダレンズ１０９を介して上記光束によって形成された被写体像を観察可能であると共に、焦点検出ユニット１２１において焦点検出を行わせることができる（ＯＶＦモードでの撮影スタンバイ）。通常、メインスイッチがオフされたとき、及びメインスイッチがオンした直後は、このＯＶＦモードとなる。
【００４８】
図１（ｂ）に示すＥＶＦモードでは、ハーフミラー１１１及びサブミラー１２２は、撮影光路から退避した第２の位置にある。フォーカルプレンシャッタ１１３の先幕及び後幕は不図示の電磁モータとギア列からなるシャッタチャージ機構により、チャージされる。チャージすることで先幕、後幕ともに開いた状態となる。従って、撮影光学系１０３からの光束がダイレクトに撮像素子１０６に導かれる。この状態で、撮像素子１０６で連続的に被写体像の撮像動作を行い、得られた電荷を撮像素子１０６からディスプレイ用に間引いた読み出しを行って、ディスプレイユニット１０７に逐次表示することで、リアルタイム表示する。これにより、撮影者はディスプレイユニット１０７に表示された被写体像を確認しながら、構図を決めることができる。このＥＶＦモードでは、焦点検出ユニット１２１を使用せず、撮像素子１０６の出力を用いたコントラスト検出方式による焦点検出を行わせることができる（ＥＶＦモードでの撮影スタンバイ）。
【００４９】
次に、図３と図４を参照しながら、上記構成を有するカメラシステムの本実施例における動作について説明する。
【００５０】
先ず、図３のフローチャートを参照して、ＥＶＦモードが選択されてからの本実施例の動作の流れを説明する。スタートは、ファインダモード切り換えスイッチ１２３の押下操作を検出し、ＯＶＦモードからＥＶＦモードへの切り換え動作を開始する状態である。
【００５１】
ステップＳ１０１において、カメラシステム制御回路１３５の制御によって不図示のモータを駆動し、ハーフミラー１１１とサブミラー１２２を回転駆動して、ミラーボックスの上部（第２の位置）まで移動させることで撮影光路から退避させる。ミラーが第２の位置に保持された状態でステップＳ１０２において、フォーカルプレンシャッタ１１３の先幕だけを走行させてバルブ状態にする。このことで、撮影光学系１０３を通過した被写体光を連続的に撮像素子１０６に到達させ、ディスプレイユニット１０７に画像を表示させるための撮像が可能な状態とする。
【００５２】
ステップＳ１０３において、撮影光学系１０３によって形成された被写体像に対して撮像素子１０６による撮像動作を連続的に行う。ステップＳ１０４において、撮像素子１０６から読み出された画像データを画像処理し、ディスプレイユニット１０７に画像を表示させるためのデータを作成する。
【００５３】
ステップＳ１０５において、測光ユニット１７０を駆動し、測光値を取得する。このとき、撮影光学系１０３による被写体像はフォーカシングスクリーン１０５には入射しておらず、ファインダレンズ１０９から入射してくる光を測光ユニット１７０は測光している。ステップＳ１０５で得られた測光値より、ディスプレイユニット１０７が配置されているカメラ背面の明るさを測定することができる。
【００５４】
ここで、ファインダレンズ１０９から入射してくる光を測光する際の現象を説明する。ファインダレンズ１０９から入射してくる光はペンタプリズム１１２で反射し、フォーカシングスクリーン１０５に到達し、拡散面で所定の割合が拡散反射光となり、その一部が測光ユニット１７０へ到達する。また、フォーカシングスクリーン１０５を通過したファインダ入射光は、ハーフミラー１１１が第２の位置に配置されていることで反射され再びフォーカシングスクリーン１０５へ入射する。そして、再び拡散面で所定の割合が拡散光となり、その一部が測光ユニット１７０へ到達する。測光ユニット１７０で２回の拡散光を合わせて測光することにより、測光精度を上げることが可能となる。
【００５５】
ステップＳ１０６において、ステップＳ１０５で得られた測光値からディスプレイユニット１０７の輝度（明るさ）を基準の輝度から変更することが必要かが判定される。ステップＳ１０６において輝度の変更が不要と判定されると、ステップＳ１０６−１において、ディスプレイユニット１０７の表示輝度の設定変更を行わない。ステップＳ１０６において、輝度の変更が必要と判定されると、ステップＳ１０７において、ディスプレイユニット１０７の表示輝度として以下に述べる所定の輝度を設定する。
【００５６】
ディスプレイユニット１０７の表示輝度が設定されると、ステップＳ１０８において、撮像素子１０６から得られる画像データをディスプレイユニット１０７にリアルタイム表示させ、撮影待機状態となる。
【００５７】
ディスプレイユニット１０７の輝度を設定する測光値と輝度との関係を図４を用いて述べる。図４において、横軸が、測光値から得られるディスプレイユニット１０７が配置されているカメラ背面の明るさであり、縦軸が、ディスプレイユニット１０７の表示輝度である。
【００５８】
V-defは基準の輝度であり、基準の明るさEV-defの環境下で最適な明るさとして設定されている。ステップＳ１０５で得られた測光値によりカメラ背面側の明るさがEV-defとEV-bの間であると、ディスプレイユニット１０７の輝度を測定値に対応させ上げて設定する。EV-bよりも明るい場合には、V-maxに設定する。V-maxはディスプレイユニット１０７の最高輝度設定であり、カラーバランス、コントラストバランス、採用された照明素子で決まる輝度である。
【００５９】
ステップＳ１０５で得られた測光値によりカメラ背面側の明るさがEV-defとEV-aの間であると、ディスプレイユニット１０７の輝度を測定値に対応させ下げて設定する。EV-aよりも暗い場合には、V-minに設定する。V-minはディスプレイユニット１０７の最低輝度設定であり、カラーバランス、コントラストバランス、採用照明素子で決まる輝度である。
【００６０】
尚、本実施例の図４では、ディスプレイユニット１０７の輝度をカメラ背面側の明るさに対応させてリニアに変化させるものを説明した。しかし、これに限定されるものではなく、例えば、所定の明るさの幅毎に、ディスプレイユニット１０７の輝度を段階的に変化させる制御などであっても良い。
【００６１】
ステップＳ１０８において、ディスプレイユニット１０７に画像データが表示された後、ステップＳ１１０において、所定の時間が経過したかが判定される。所定の時間経過していないと判定されるとステップＳ１１２-１に移り、所定の時間経過したと判定されると、ステップＳ１１１において、測光ユニット１７０を駆動し測光値を取得する。
【００６２】
ステップＳ１１２において、ステップＳ１１１で得られた測光値から、ディスプレイユニット１０７の輝度の変更が必要であるか判定する。変更する必要があれば、ステップＳ１１３において、ディスプレイユニット１０７の輝度を変更して表示させ、輝度の変更が必要でなければ、ステップＳ１１２−１において、輝度維持したまま表示させる。
【００６３】
ステップＳ１１４において、操作部材が操作されたかが判定され、操作されていないと判定されるとステップＳ１１０に戻る。操作部材が操作されたと判定されると、操作された操作部材に対応してカメラを制御する（ＳＴＯＰ）。
【００６４】
本実施例によれば、ＥＶＦモードでの撮影時に、通常の撮影で使用する測光ユニット１７０をファインダ入射光の測定に用いることで、専用センサーを必要とせずディスプレイユニット１０７周辺の明るさを測定することが可能となる。そして、測定結果を用いて適切なディスプレイ輝度を設定することができる。
【００６５】
こうして、少なくともＥＶＦモードにおいて、表示装置（外部表示手段）の明るさが周辺環境に最適になる様に自動で設定されるため、撮影者は特別な操作をすることなく、見やすい表示で表示装置を見ることが可能となる。
【００６６】
（第２の実施例）
図５のフローチャートを参照して、本実施例の動作の流れを説明する。本実施例のカメラの形態は、第１の実施例で説明した図１と図２のものと同様でよいので説明を省略し、同一機能部は同一番号を用いて説明する。
【００６７】
スタートは撮影済み画像の再生を撮影者が指示した状態である。ステップＳ３０１において、ハーフミラー１１１とサブミラー１２２が第１の位置（ミラーダウン位置）にあるか、第２の位置（ミラーアップ位置）にあるかが判定される。即ち、ＯＶＦモードであるかＥＶＦモードであるかが判定される。第１の位置にあると判定されると、カメラシステム制御回路１３５の制御によって不図示のモータを駆動して、ハーフミラー１１１とサブミラー１２２を回転駆動し、図１（ｂ）に示す位置（第２の位置）まで移動させる。ハーフミラー１１１とサブミラー１２２を回転駆動させる際には、不図示のモーターをデューティー制御で、通常撮影時よりも回転数を下げて駆動し、ミラーアップ動作音を小さくするのが望ましいが、通常撮影時のモーター駆動方法と同じでも良い。
【００６８】
ステップＳ３０１において、ハーフミラー１１１とサブミラー１２２が第２の位置にあると判定されると、ステップＳ３０２において、カメラシステム制御回路１３５によって再生処理回路１３４が駆動される。先ず、不図示の情報記録媒体であるメモリー・メディアへアクセスし、ステップＳ３０３において、メモリー・メディアから保存されている撮影画像を不図示のカメラ内部に設けられたメモリーへ取り込む。
【００６９】
ステップＳ３０４においては、測光ユニット１７０を駆動し、測光値を取得する。このとき、ハーフミラー１１１とサブミラー１２２は、撮影光路から退避した第２の位置に保持された状態であり、測光値はファインダレンズ１０９から入射する光量となる。ステップＳ３０４で得られた測光値より、ディスプレイユニット１０７が配置されているカメラ背面の明るさを推定することができる。
【００７０】
ステップＳ３０５において、ステップＳ３０４で得られた測光値からディスプレイユニット１０７の輝度を基準の輝度から変更することが必要かが判定される。ステップＳ３０５において輝度の変更が不要と判定されると、ステップＳ３０５−１において、ディスプレイユニット１０７の表示輝度の設定変更を行わない。ステップＳ３０５において輝度の変更が必要と判定されると、ステップＳ３０６において、ディスプレイユニット１０７の表示輝度として、第１の実施例で述べた図４のグラフに基づく所定の輝度を設定する。
【００７１】
ディスプレイユニット１０７の表示輝度が設定されると、ステップＳ３０７において、撮影済みの画像データをディスプレイユニット１０７に表示させる。ステップＳ３０７において、ディスプレイユニット１０７に撮影済み画像データが表示された後、ステップＳ３０９において、所定の時間が経過したかが判定され、所定の時間が経過していないと判定されるとステップＳ３１１−１に移る。所定の時間経過したと判定されると、ステップＳ３１０において、測光ユニット１７０を駆動し、測光値を取得する。
【００７２】
ステップＳ３１１において、ステップＳ３１０で得られた測光値から、ディスプレイユニット１０７の輝度の変更が必要であるか判定する。変更する必要があれば、ステップＳ３１２において、ディスプレイユニット１０７の輝度を変更して表示する。輝度の変更が必要でなければ、ステップＳ３１１−１において、輝度を維持したまま表示させる。
【００７３】
ステップＳ３１３において操作部材が操作されたかが判定され、操作されていないと判定されるとステップＳ３０９に戻る。操作部材が操作されたと判定されると、操作された操作部材に対応してカメラを制御する（ＳＴＯＰ）。
【００７４】
本実施例によれば、ＥＶＦモードでの撮影時だけでなく、撮影済み画像を確認する際にも、通常の撮影で使用する測光ユニット１７０をファインダ入射光の測定に用いることができる。このことで、専用センサーを必要とせずディスプレイユニット１０７周辺の明るさを測定することが可能となる。そして、測定結果を用いて、適切なディスプレイの明るさを設定することができる。
【００７５】
（第３の実施例）
図６は、第３の実施例のカメラの概略断面図である。図１と同じ構成には同じ番号を付し説明を省略する。本実施例では、固定ハーフミラー２０１は固定されており、撮影時にも撮影光路に配置されたままに構成されている。これにより、撮影時に被写体をファインダで観察できないファインダ消失時間を無くす構成としている。また、フォーカシングスクリーン１０５と固定ハーフミラー２０１の間に、ファインダから見える視野を覆う様に内部表示装置２００が配置されている。内部表示装置２００は透過型液晶で構成されており、合焦位置を表示したり、撮影情報を表示したりすることが可能である。
【００７６】
本実施例では内部表示装置２００を透過型液晶装置とするが、これに限定されるものではなく、透過と非透過を切替可能な表示装置であれば適用可能である。単独サブミラー２０２はハーフミラー２０１とは独立して駆動可能に構成されており、撮影時には図６（ｂ）に示す様にカメラ底面部に向かって移動し、撮影光路から退避する。
【００７７】
図７のフローチャートを参照して、ＥＶＦモードが選択されてからの本実施例の動作の流れを説明する。スタートは、ファインダモード切り換えスイッチ１２３の押下を検出し、ＯＶＦモード（図６（ａ）の状態）からＥＶＦモード（図６（ｂ）の状態）への切り換え動作を開始する状態である。
【００７８】
ステップＳ５０１において、カメラシステム制御回路１３５によって不図示のモーターが駆動され、単独サブミラー２０２が図６（ｂ）に示す退避位置へ駆動される。単独サブミラー２０２が退避位置へ駆動された後、ステップＳ５０２において、カメラシステム制御回路１３５の制御によって情報表示回路を駆動し、視野を覆う表示領域がほぼ全域非透過状態になる様に内部表示装置２００を制御する。内部表示装置２００は、固定ハーフミラー２０１から入射する被写体光をほぼ遮光する遮光状態となる
【００７９】
ステップＳ１０２からステップＳ１１４、ステップＳ１１４からＳＴＯＰまでは第１の実施例で用いた図３のフローチャートと同一のフローであり、フローの番号を同一としている。
【００８０】
内部表示装置２００の遮光駆動後、ステップＳ１０２において、フォーカルプレンシャッタ１１３の先幕だけを走行させてバルブ状態にする。このことで、撮影光学系１０３を通過した被写体光を連続的に撮像素子１０６に到達させ、ディスプレイユニット１０７に画像を表示させるための撮像が可能な状態とする。
【００８１】
ステップＳ１０３において、撮影光学系１０３によって形成された被写体像に対して撮像素子１０６による撮像動作を連続的に行う。ステップＳ１０４において、撮像素子１０６から読み出された画像データを画像処理し、ディスプレイユニット１０７に画像を表示させるためのデータを作成する。
【００８２】
ステップＳ１０５において、測光ユニット１７０を駆動し、測光値を取得する。このとき、撮影光学系１０３による被写体像はフォーカシングスクリーン１０５には入射しておらず、ファインダレンズ１０９から入射してくる光を測光ユニット１７０は測光している。ステップＳ１０５で得られた測光値より、ディスプレイユニット１０７が配置されているカメラ背面の明るさを測定することができる。
【００８３】
ここで、ファインダレンズ１０９から入射してくる光を測光する際の現象を説明する。ファインダレンズ１０９から入射してくる光はペンタプリズム１１２で反射し、フォーカシングスクリーン１０５に到達し、拡散面で所定の割合が拡散反射光となり、その一部が測光ユニット１７０へ到達する。また、フォーカシングスクリーン１０５を通過した入射光は遮光状態である内部表示装置２００の表面で反射され、再びスクリーン１０５へ入射し、再び拡散面で所定の割合が拡散光となり、その一部が測光ユニット１７０へ到達する。測光ユニット１７０で２回の拡散光を合わせて測光することにより、測光精度を上げることが可能となる。
【００８４】
もし内部表示装置２００が遮光状態でない場合であると、撮影光学系１０３からの被写体光が入射する通常のＯＶＦモードであり、カメラ背面側の明るさを正確に測定することが困難となる。
【００８５】
ステップＳ１０６において、ステップＳ１０５で得られた測光値からディスプレイユニット１０７の輝度を基準の輝度から変更することが必要かが判定される。ステップＳ１０６において輝度の変更が不要と判定されると、ステップＳ１０６−１において、ディスプレイユニット１０７の表示輝度の設定変更を行わない。ステップＳ１０６において輝度の変更が必要と判定されると、ステップＳ１０７において、ディスプレイユニット１０７の表示輝度として、第１の実施例で述べた図４に基づく所定の輝度を設定する。
【００８６】
ディスプレイユニット１０７の表示輝度が設定されると、ステップＳ１０８において、撮像素子１０６から得られる画像データをディスプレイユニット１０７にリアルタイム表示させ、撮影待機状態となる。
【００８７】
ステップＳ１０８において、ディスプレイユニット１０７に画像データが表示された後、ステップＳ１１０において、所定の時間が経過したかが判定され、所定の時間が経過していないと判定されるとステップＳ１１２−１に移る。所定の時間経過したと判定されると、ステップＳ１１１において、測光ユニット１７０を駆動し、ファインダレンズ１０９から入射してくる光を測光する。
【００８８】
ステップＳ１１２において、ステップＳ１１１で得られた測光値から、ディスプレイユニット１０７の輝度の変更が必要であるか判定する。変更する必要があれば、ステップＳ１１３においてディスプレイユニット１０７の輝度を変更して表示する。輝度の変更が必要でなければ、ステップＳ１１２−１において輝度を維持したまま表示させる。
【００８９】
ステップＳ１１４において操作部材が操作されたかが判定され、操作されていないと判定されるとステップＳ１１０に戻る。操作部材が操作されたと判定されると、操作された操作部材に対応してカメラを制御する（ＳＴＯＰ）。
【００９０】
尚、本実施例ではサブミラー１２２を独立駆動可能なカメラ構成としたが、これに限定されるものではない。例えば、サブミラー１２２、焦点検出ユニット１２１が無い構成で、撮像素子１０６から得られる画像を用いて合焦制御を行う構成のカメラであっても良い。
【００９１】
本実施例によれば、ハーフミラーが退避しない構成の撮像装置においても、ＥＶＦモードでの撮影時に、通常の撮影で使用する測光ユニット１７０をファインダ入射光の測定に用いることができる。このことで、専用センサーを必要とせずディスプレイユニット１０７周辺の明るさを測定することが可能となる。そして、測定結果を用いて適切なディスプレイ輝度を設定することができる。
【００９２】
こうして、本実施例でも、少なくともＥＶＦモードにおいて、表示装置（外部表示手段）の明るさが周辺環境に最適になる様に自動で設定されるため、撮影者は特別な操作をすることなく、見やすい表示で表示装置を見ることが可能となる。
【００９３】
（第４の実施例）
図８のフローチャートを参照して、第４の実施例の動作の流れを説明する。本実施例のカメラの形態は、第３の実施例で説明した図２、図６と同じでよいので、説明を省略し、同一機能部は同一番号を用いて説明する。
【００９４】
スタートは撮影済み画像の再生を撮影者が指示した状態である。撮影済みの画像を表示させる操作が為されると、ステップＳ４０１において、カメラシステム制御回路１３５の制御によって情報表示回路を駆動し、視野を覆う表示領域がほぼ全域非透過状態になる様に内部表示装置２００を制御する。内部表示装置２００は、固定ハーフミラー２０１から入射する被写体光をほぼ遮光する遮光状態となる
【００９５】
ステップＳ３０２からステップＳ３１３まで、ステップＳ３１３からＳＴＯＰまでは第２の実施例で用いた図５のフローチャートと同一のフローであり、フローの番号を同一としている。
【００９６】
ステップＳ３０２において、カメラシステム制御回路１３５によって再生処理回路１３４が駆動される。先ず、不図示の情報記録媒体であるメモリー・メディアへアクセスし、ステップＳ３０３において、メモリー・メディアから保存されている撮影画像を不図示のカメラ内部に設けられたメモリーへ取り込む。
【００９７】
ステップＳ３０４において、測光ユニット１７０を駆動し、測光値を取得する。このとき、内部表示装置２００は遮光状態である。ステップＳ３０４で得られた測光値より、ディスプレイユニット１０７が配置されているカメラ背面の明るさを測定することができる。
【００９８】
ステップＳ３０５において、ステップＳ３０４で得られた測光値からディスプレイユニット１０７の輝度を基準の輝度から変更することが必要かが判定される。ステップＳ３０５において輝度の変更が不要と判定されると、ステップＳ３０５−１において、ディスプレイユニット１０７の表示輝度の設定変更を行わない。ステップＳ３０５において輝度の変更が必要と判定されると、ステップＳ３０６において、ディスプレイユニット１０７の表示輝度として、第１の実施例で述べた図４のグラフに基づく所定の輝度を設定する。
【００９９】
ディスプレイユニット１０７の表示輝度が設定されると、ステップＳ３０７において、撮影済みの画像データをディスプレイユニット１０７に表示させる。ステップＳ３０７において、ディスプレイユニット１０７に撮影済み画像データが表示された後、ステップＳ３０９において、所定の時間が経過したかが判定され、所定の時間経過していないと判定されるとステップＳ３１１−１に移る。所定の時間経過したと判定されると、ステップＳ３１０において、測光ユニット１７０を駆動し、測光値を取得する。
【０１００】
ステップＳ３１１において、ステップＳ３１０で得られた測光値から、ディスプレイユニット１０７の輝度の変更が必要であるか判定する。変更する必要があれば、ステップＳ３１２においてディスプレイユニット１０７の輝度を変更して表示する。輝度の変更が必要でなければ、ステップＳ３１１−１において輝度を維持したまま表示させる。
【０１０１】
ステップＳ３１３において操作部材が操作されたかが判定され、操作されていないと判定されるとステップＳ３０９に戻る。操作部材が操作されたと判定されると、操作された操作部材に対応してカメラを制御する（ＳＴＯＰ）。
【０１０２】
本実施例によれば、ハーフミラーが退避しない構成の撮像装置においても、ＥＶＦモードでの撮影時だけでなく撮影済み画像を確認する際にも、通常の撮影で使用する測光ユニット１７０をファインダ入射光の測定に用いることができる。これにより、専用センサーを必要とせずディスプレイユニット１０７周辺の明るさを測定することが可能となる。そして、測定結果を用いて適切なディスプレイの明るさを設定することができる。
【０１０３】
（第５の実施例）
図９のフローチャートを参照して、第５の実施例の動作の流れを説明する。本実施例のカメラの形態は、第１の実施例で説明した図１、図２と同じでよいので、説明を省略し、同一機能部は同一番号を用いて説明する。
【０１０４】
スタートは、ＥＶＦモードでセルフ撮影が実行された状態である。即ち、撮影者が不図示の操作部材を用いてセルフ時間を選択し、レリーズボタン１２０を操作した状態である。ＥＶＦモードでは第１の実施例で述べた様に、ハーフミラー１１１とサブミラー１２２は図１（ｂ）に示す第２の位置に配置されている。そして、測光ユニット１７０によりカメラ背面の明るさを測光し、ディスプレイユニット１０７の輝度をカメラが自動で適切な輝度に調整して表示している状態である。
【０１０５】
ステップＳ２０１において、レリーズボタン１２０操作後の時間を計測するカウンターをスタートさせる。ステップＳ２０２で、測光値を取得するための所定の時間が経過したかが判定され、経過していないと判定されるとステップＳ２０４−１に移る。経過したと判定されると、ステップＳ２０３において、測光ユニット１７０を駆動して測光値を取得する。
【０１０６】
ステップＳ２０４において、ステップＳ２０３で得られた測光値からディスプレイユニット１０７の輝度を変更することが必要かが判定される。ステップＳ２０４において輝度の変更が不要と判定されると、ステップＳ２０４−１において、輝度を維持したまま表示する。ステップＳ２０４において輝度の変更が必要と判定されると、ステップＳ２０５において、ディスプレイユニット１０７の表示輝度として、第１の実施例で述べた図４のグラフに基づく所定の輝度を設定して表示する。
【０１０７】
ステップＳ２０６において、選択されたセルフ時間が経過したかが判定され、経過したと判定されると、ステップＳ２１０に移る。選択されたセルフ時間が経過していないと判定されると、ステップＳ２０７において、レリーズボタン１２０の操作から所定の時間が経過したかが判定される。レリーズボタン１２０の操作から所定の時間が経過していないと判定されると、ステップＳ２０２に戻る。レリーズボタン１２０の操作から所定の時間が経過したと判断されると、ステップＳ２０８において、ディスプレイユニット１０７の表示輝度を最低輝度V-minに設定する（図４参照）。
【０１０８】
レリーズボタン１２０の操作からの所定の時間とは、撮影者がセルフ撮影時にレリーズボタン１２０を操作した後、被写体構図の確認ができる程度の時間であり、５秒程度が望ましいが、これに限定されるものではない。
【０１０９】
公知の製品仕様では、セルフ撮影時間として「２秒」「１０秒」などが選択可能に構成されている。手ぶれ防止に使用する際には「２秒」が選択される場合が多く、自分も被写体となる記念撮影などを行う際には「１０秒」が選択される場合が多い。「２秒」を選択した手ぶれ防止撮影などの場合には、表示された被写体を確認しながらの撮影が多く、「１０秒」を選択した記念撮影などでは、構図を確認した後は表示を見ない場合が多い。よって、ディスプレイユニット１０７を見ている確率の高い５秒程度までは見やすい輝度に調整されることが望ましく、ディスプレイユニット１０７を見ていない確率の高い５秒後は、消費電流を抑えるために輝度を下げることが望ましい。
【０１１０】
ディスプレイユニット１０７の輝度が最低輝度に設定された後、ステップＳ２０９において、選択されたセルフ時間が経過したかが判定される。経過したと判定されるとステップＳ２１０において撮影が行われ、撮影待機状態となる（ＳＴＯＰ）。
【０１１１】
本実施例によれば、ＥＶＦモードでのセルフ撮影時に、通常の撮影で使用する測光ユニット１７０をファインダ入射光の測定に用いることで、専用センサーを必要とせずディスプレイユニット１０７周辺の明るさを測定することが可能となる。そして、測定結果を用いて適切なディスプレイの明るさを設定することができる。また、不要な消費電流の増加を抑えることが可能となる。
【０１１２】
こうして、セルフ撮影時においても見やすい表示で表示装置（外部表示手段）を見ることが可能となり、かつ消費電流の増加を抑制することが可能となる。
【０１１３】
（第６の実施例）
図１０は、第６の実施例のカメラの外観概略図である。カメラ本体１０１には撮影レンズ１０２と、撮影レンズ１０２を通過した被写体光を確認するファインダが収納されたペンタ部３０１が配置されている。カメラ本体１０１の上面部には、レリーズボタン１２０、撮影モードを設定するモードダイヤル３０２が配置され、被写体側にはリモコン受光部３０３が配置されている。
【０１１４】
本実施例では、カメラ本体１０１に対してディスプレイユニット１０７が可動可能に構成されている。ディスプレイユニット１０７とカメラ本体１０１とは公知の技術であるヒンジ機構を用いたヒンジ部３０４で接続されている。ヒンジ部３０４内部には、ディスプレイユニット１０７内部に配置された表示装置とカメラ本体１０１とを電気的に接続する不図示の屈曲可能な導通部材が配置されており、ディスプレイユニット１０７を回動させた場合にも表示可能に構成されている。
【０１１５】
ディスプレイユニット１０７は、ヒンジ部３０４近辺に配置された不図示の検知スイッチで表示面の向きが検知可能に構成されている。
【０１１６】
図１０の状態は、ディスプレイユニット１０７の表示面を被写体側に向けた状態である。この状態では、被写体でもある撮影者がディスプレイユニット１０７の表示面を確認しながら構図を決定し、不図示のリモコンを用いて撮影指示を出すことで、所謂自分撮りが可能となる。
【０１１７】
図１２のフローチャートを参照して、本実施例の動作の流れを説明する。スタートは、ＥＶＦモードで撮影待機状態であり、ディスプレイユニット１０７の表示輝度が自動調整されている状態である。
【０１１８】
ステップＳ６０１において、ディスプレイユニット１０７の表示面がカメラ背面側を向いているかが判定される。ディスプレイユニット１０７の表示面がカメラ背面を向いていないと判定されると、ファインダからの入射光を測光してもディスプレイユニット１０７の表示面を照らす明るさを測定できないので、輝度設定を維持したまま表示させる（ステップＳ６０４−１）。
【０１１９】
ディスプレイユニット１０７の表示面がカメラ背面を向いていると判定されると、ステップＳ６０２において、測光値を取得するための所定の時間が経過したかが判定され、経過していないと判定されるとステップＳ６０４−１に移る。経過したと判定されると、ステップＳ６０３において、測光ユニット１７０を駆動して測光値を取得する。
【０１２０】
ステップＳ６０４において、ステップＳ６０３で得られた測光値からディスプレイユニット１０７の輝度を基準の輝度から変更することが必要かが判定される。ステップＳ６０４において輝度の変更が不要と判定されると、ステップＳ６０４−１において、ディスプレイユニット１０７の表示輝度を維持したまま表示する。ステップＳ６０４において輝度の変更が必要と判定されると、ステップＳ６０５において、ディスプレイユニット１０７の表示輝度として、第１の実施例で述べた図４のグラフに基づく所定の輝度に設定して表示する。
【０１２１】
ステップＳ６０６で操作部材が操作されたかが判定され、操作されていないと判定されるとステップＳ６０１に戻る。操作部材が操作されたと判定されると、操作された操作部材に対応してカメラを制御する（ＳＴＯＰ）。
【０１２２】
本実施例によれば、ＥＶＦモードでの撮影時に、通常の撮影で使用する測光ユニット１７０をファインダ入射光の測定に用いることで、専用センサーを必要とせずディスプレイユニット１０７周辺の明るさを測定することが可能となる。そして、測定結果を用いて適切なディスプレイ輝度を設定することができる。また、ディスプレイユニット１０７の表示面がカメラ背面側を向いていない時には、不要な消費電流の増加を抑えることが可能となる。
【０１２３】
こうして、ディスプレイユニット１０７の表示面がカメラ背面を向いている場合には見やすい表示で表示装置（外部表示手段）を見ることが可能となり、表示面がカメラ背面を向いていない時には消費電流の増加を抑制することが可能となる。
【図面の簡単な説明】
【０１２４】
【図１】（ａ）は本発明を適用した第１の実施例等に係るデジタル一眼レフカメラのハーフミラーアップ状態の概略断面図、（ｂ）は同じくハーフミラーダウン状態の概略断面図。
【図２】本発明を適用した第１の実施例等に係るデジタル一眼レフカメラのブロック図。
【図３】本発明を適用した第１の実施例に係るデジタル一眼レフカメラのフローチャート。
【図４】本発明を適用した第１の実施例等に係るデジタル一眼レフカメラの輝度設定グラフ。
【図５】本発明を適用した第２の実施例に係るデジタル一眼レフカメラのフローチャート。
【図６】（ａ）は本発明を適用した第３の実施例等に係るデジタル一眼レフカメラのサブミラーアップ状態の概略断面図、（ｂ）は同じくサブミラーダウン状態の概略断面図。
【図７】本発明を適用した第３の実施例に係るデジタル一眼レフカメラのフローチャート。
【図８】本発明を適用した第４の実施例に係るデジタル一眼レフカメラのフローチャート。
【図９】本発明を適用した第５の実施例に係るデジタル一眼レフカメラのフローチャート。
【図１０】本発明を適用した第６の実施例に係るデジタル一眼レフカメラの正面概略図。
【図１１】本発明を適用した第６の実施例に係るデジタル一眼レフカメラのフローチャート。
【符号の説明】
【０１２５】
１０１  カメラ本体（撮像装置）
１０２  撮影レンズ（レンズ装置）
１０３  撮影光学系
１０４  絞り
１０５  フォーカシングスクリーン（光学ファインダユニット）
１０６  撮像素子
１０７  外部表示手段（外部表示装置）
１０９  ファインダレンズ（光学ファインダユニット）
１１１  ハーフミラー（光学部材、可動ミラーユニット）
１１２  ペンタプリズム（光学ファインダユニット）
１２１  焦点検出ユニット
１２２  サブミラー（可動ミラーユニット）
１７０  測光ユニット
２００  内部表示手段（内部表示装置）
２０１  固定ミラー（固定ハーフミラー）
【図１】
2010136158.tif 000003
【図２】
2010136158.tif 000004
【図３】
2010136158.tif 000005
【図４】
2010136158.tif 000006
【図５】
2010136158.tif 000007
【図６】
2010136158.tif 000008
【図７】
2010136158.tif 000009
【図８】
2010136158.tif 000010
【図９】
2010136158.tif 000011
【図１０】
2010136158.tif 000012
【図１１】
2010136158.tif 000013